(57)【特許請求の範囲】
【請求項１】
一対の無端チェーン（１９１、１９２）に設けた搬送爪（２０２、２０３）間に最中合わせされた積層型熱交換器用シート（５１）から成る積層型熱交換器用エレメント（５２）を順次供給すると共に、各積層型熱交換器用エレメント（５２）間にコルゲートフィン（５３）を配し、所定数の積層型熱交換器用エレメント（５２）とコルゲートフィン（５３）とを仮組みする工程と、
所定数の積層型熱交換器用エレメント（５２）とコルゲートフィン（５３）とから成る仮組体（Ｋ）を排出する工程とを有し、
一対の無端チェーン（１９１、１９２）に設けた搬送爪（２０２、２０３）間に最中合わせされた積層型熱交換器用シート（５１）から成る積層型熱交換器用エレメント（５２）を順次供給すると共に、各積層型熱交換器用エレメント（５２）間にコルゲートフィン（５３）を配し、所定数の積層型熱交換器用エレメント（５２）とコルゲートフィン（５３）とを仮組みする工程に際し、
上下左右方向へ移動する可動装置（Ｈ）に回転自在に取り付けられたコルゲートフィン組付用ハンド（１７０）を、カム板（Ｄ、Ｅ）により水平状態に保持した後、コルゲートフィン組付用ハンド（１７０）にコルゲートフィン（５３）を挿入する工程と、
コルゲートフィン（５３）を把持したコルゲートフィン組付用ハンド（１７０）を可動装置（Ｈ）により上方に回転しながら、一対の回動部材（１８５、１８５）をカム板（Ｄ、Ｅ）と離反し、引っ張りばね（１７７）による引っ張り力により一対のフィン押さえ部材（１７４、１７４）を各フィン受け部材（１７１、１７１）と近接する方向へ回動してコルゲートフィン（５３）に圧接し挿入されたコルゲートフィン（５３）を把持する工程と、
コルゲートフィン（５３）を把持したコルゲートフィン組付用ハンド（１７０）を可動装置（Ｈ）により垂直状態に立ち上げ、把持したコルゲートフィン（５３）を垂直状態にして組付装置（１９０）へ移動する工程と、
垂直状態にされたコルゲートフィン（５３）を組付装置（１９０）へコルゲートフィン（５３）を受け渡す工程と、
組付装置（１９０）へコルゲートフィン（５３）を受け渡した後、可動装置（Ｈ）によりコルゲートフィン組付用ハンド（１７０）を垂直方向に降下しコルゲートフィン（５３）をコルゲートフィン組付用ハンド（Ｈ）から抜き取る工程と、
コルゲートフィン（５３）を抜き取ったコルゲートフィン組付用ハンド（１７０）を可動装置（Ｈ）により移動されると共にカム板（Ｄ、Ｅ）により回転されながら水平状態へ戻し、コルゲートフィン（５３）の挿入工程へ戻す工程とを有する
ことを特徴とする積層型熱交換器の仮組方法。
【発明の詳細な説明】
【０００１】
【発明の属する技術分野】
本発明は、ヘッダーチューブを用いる積層型熱交換器の仮組方法に関するものである。
【０００２】
【従来の技術】
従来、この種の積層型熱交換器としては、例えば、実開平４−２５９８９号公報等に開示されるものが知られている。
これを図２６及び図２７に基づいて説明する。１は例えばアルミニウム材等の帯状金属材料から成る積層型熱交換器用シートを示す。この積層型熱交換器用シート１は、一側部に冷媒用入口２と冷媒用出口３を設け、これら冷媒用入口２と冷媒用出口３を除く周囲を、ほぼコ字状の縁取り用のビード４によって囲むと共に、これら冷媒用入口２と冷媒用出口３の近傍に仕切用のビード５が縁取り用のビード４の長手方向に対して並行して設けられている。そして、冷媒用入口２と冷媒用出口３を除く、縁取り用のビード４と仕切用のビード５とで囲まれた平坦部１２には、複数の突起６が設けられている。
【０００３】
このように構成された積層型熱交換器用シート１は、図２６に示すように、最中合わせされて周囲を囲む縁取り用のビード４と仕切用のビード５とによって冷媒を通過させる通路（図示せず）を形成する積層型熱交換器用エレメント９とされる。
この積層型熱交換器用エレメント９は、放熱用のコルゲートフィン１０を介して多数積層される。そして、各積層型熱交換器用エレメント９の冷媒用入口２と冷媒用出口３とに座板１１を介してタンク用エレメント７を取り付ける。本例では、タンク用エレメント７内に隔壁８が介装される。
【０００４】
このようにして組み立てられた積層型熱交換器の仮組体は、炉内で加熱処理され、一体的にろう付けされて図２６に示す積層型熱交換器１３とされる。
このようなろう付け処理では、ろう材等の表面の酸化皮膜を除去すると共に、ブレージング炉内で加熱され溶融したろう材を各部材の接合面に浸透させるために、加熱処理を行う前にろう付け用フラックスの塗布処理が行われている。
【０００５】
処で、積層型熱交換器用シート１は、例えば、特開平３−２０４１２１号公報等に開示されるように、ロール成形により加工されている。
これを図２８及び図２９により説明する。
図において、３０は成形機を表す。成形機３０は、第一の成形ロールＡ、第二の成形ロールＢ及びトリム切断ユニットＣを備えている。
【０００６】
コイル状に巻回された例えばアルミニウム材等の帯状金属材料Ｍを第一の成形ロールＡ及び第二の成形ロールＢにて所定の間隔をおいて積層型熱交換器用シート素子１Ｂを連続して刻設した図２８に示すような積層型熱交換器用シート成形帯１Ａとした後、トリム切断ユニットＣにて切断することによって、積層型熱交換器用シート１を得ることができる。ここでは、第一の成形ロールＡ及び第二の成形ロールＢのロールパターンに従って、積層型熱交換器用シート１に応じた大きさにするための縁取り用のビード４と、仕切用のビード５と、縁取り用のビード４と仕切用のビード５とによって区画された平坦部１２に位置する多数の突起６とを刻設した積層型熱交換器用シート素子１Ｂを連続して成形した積層型熱交換器用シート成形帯１Ａとする。
【０００７】
第二の成形ロールＢにおいて、放熱用のコルゲートフィン１０を押さえるフィン押さえ１５、１６を形成する。このフィン押さえ１５、１６の成形は、帯状金属材料Ｍの打ち抜きにより行われる。このため、各積層型熱交換器用シート素子１Ｂ間には、２つの窓孔から成る開口１７、１８が穿設される。
次に、第二の成形ロールにおいて、フィン押さえ１５、１６を、仕切用のビード５とは逆向きに折り曲げると同時に外形形状に沿って切断し、積層型熱交換器用シート素子１Ｂを積層型熱交換器用シート成形帯１Ａから分難する。
【０００８】
斯くして成形された積層型熱交換器用シート１は、上述したように、最中合わせされて積層型熱交換器用エレメント９とされる。又、最中合わせされた積層型熱交換器用エレメント９には、フィン押さえ１５、１６が両端部から突出するので、この部位に放熱用のコルゲートフィン１０を取り付けることができる。
次に、図３０及び図３１により、従来の積層型熱交換器の仮組方法について説明する。
【０００９】
積層型熱交換器用シート１と放熱用のコルゲートフィン１０とは次のように、それぞれの成形装置３０，３０により製造され、組付装置４１において組み付けられる。
先ず、積層型熱交換器用シート１の製造方法について説明する。
２台の成形装置３０，３０により積層型熱交換器用シート１を成形する（図３１のＳ１）。各成形装置３０，３０で成形された積層型熱交換器用シート１はベルトコンベヤ３１、３２により排出される。
【００１０】
各ベルトコンベヤ３１、３２の下流端には、２台のベルトコンベヤ３４、３５が直交して配されており、積層型熱交換器用シート１は２台のベルトコンベヤ３１、３２から２台のベルトコンベヤ３４、３５に移送される。
その後、積層型熱交換器用シート１は、２台のベルトコンベヤ３４、３５にて終端まで搬送される。この搬送工程中に、積層型熱交換器用シート１には、次のような処理が施される。
【００１１】
先ず、一方のベルトコンベヤ３５で搬送される積層型熱交換器用シート１は、反転装置３３により天地を逆にされる（図３１のＳ２）。これにより、積層型熱交換器用シート１の両端に形成されたフィン押さえ１５、１６が上方に突出することとなる。
次に、各ベルトコンベヤ３４、３５上の積層型熱交換器用シート１は、乾燥機３６により乾燥される（図３１のＳ３）。
【００１２】
次に、乾燥工程後の各ベルトコンベヤ３４、３５上の積層型熱交換器用シート１は、フラックス塗布機３７により粉体フラックスが塗布される（図３１のＳ４）。
一方、放熱用のコルゲートフィン１０は、フィン成形機３８により成形された後、ベルトコンベヤ３９で搬送され、乾燥機４０により乾燥される（図３１のＳ５、Ｓ６）。
【００１３】
その後、積層型熱交換器用シート１と放熱用のコルゲートフィン１０は、組付装置４１へ搬入される。
組付装置４１では、図３２に示すように、２台のベルトコンベヤ３４、３５の終端において２台のベルトコンベヤ３４、３５と直交するように２台のベルトコンベヤ４６、４７が配設されている。
【００１４】
組付装置４１では、先ず、ベルトコンベヤ３５で搬送されたフィン押さえ１５、１６が下方に突出する積層型熱交換器用シート１を各ベルトコンベヤ４６、４７上に移送し、この積層型熱交換器用シート１の上にベルトコンベヤ３４で搬送されたフィン押さえ１５、１６が上方に突出する積層型熱交換器用シート１を最中合わせ状に重ねて積層型熱交換器用エレメント９とする（図３１のＳ７）。
【００１５】
次に、各ベルトコンベヤ４６、４７上の積層型熱交換器用エレメント９のフィン押さえ１５、１６間にコルゲートフィン１０を圧縮して取り付けた後、ベルトコンベヤ４７の近傍に配置した組付治具４５に順次積み上げられて仮組体４８とする（図３１のＳ８）。
そして、組付治具４５内の積層型熱交換器用エレメント９とコルゲートフィン１０とが所定数になったところで、別の組付治具４５と取り替える。
【００１６】
所定数の積層型熱交換器用エレメント９とコルゲートフィン１０とを積層して成る積層型熱交換器の仮組体４８は、図示しない加熱炉へ搬入され、炉内で加熱処理され、一体的にろう付けされて図２６に示す積層型熱交換器１３とされる（図３１のＳ９）。
【００１７】
【発明が解決しようとする課題】
上述した積層型熱交換器の仮組方法では、コルゲートフィン１０の組付時に、図３３に示すように、コルゲートフィン１０を圧縮するため、複雑な装置を必要とする。
【００１８】
又、積層型熱交換器用エレメント９のフィン押さえ１５、１６間にコルゲートフィン１０を圧縮して取り付けた後、図３２に示すように、組付治具４５に積層して仮組体４８とするため、組付治具４５への挿入作業を必要とする。
本発明は斯かる従来の問題点を解決するために為されたもので、その目的は、仮組体を簡便に形成することができる積層型熱交換器の仮組方法を提供することにある。
【００１９】
【課題を解決するための手段】
請求項１記載の発明は、一対の無端チェーンに設けた搬送爪間に最中合わせされた積層型熱交換器用シートから成る積層型熱交換器用エレメントを順次供給すると共に、各積層型熱交換器用エレメント間にコルゲートフィンを配し、所定数の積層型熱交換器用エレメントとコルゲートフィンとを仮組みする工程と、所定数の積層型熱交換器用エレメントとコルゲートフィンとから成る仮組体を排出する工程とを有し、一対の無端チェーンに設けた搬送爪間に最中合わせされた積層型熱交換器用シートから成る積層型熱交換器用エレメントを順次供給すると共に、各積層型熱交換器用エレメント間にコルゲートフィンを配し、所定数の積層型熱交換器用エレメントとコルゲートフィンとを仮組みする工程に際し、上下左右方向へ移動する可動装置に回転自在に取り付けられたコルゲートフィン組付用ハンドを、カム板により水平状態に保持した後、コルゲートフィン組付用ハンドにコルゲートフィンを挿入する工程と、コルゲートフィンを把持したコルゲートフィン組付用ハンドを可動装置により上方に回転しながら、一対の回動部材をカム板と離反し、引っ張りばねによる引っ張り力により一対のフィン押さえ部材を各フィン受け部材と近接する方向へ回動してコルゲートフィンに圧接し挿入されたコルゲートフィンを把持する工程と、コルゲートフィンを把持したコルゲートフィン組付用ハンドを可動装置により垂直状態に立ち上げ、把持したコルゲートフィンを垂直状態にして組付装置へ移動する工程と、垂直状態にされたコルゲートフィンを組付装置へコルゲートフィンを受け渡す工程と、組付装置へコルゲートフィンを受け渡した後、可動装置によりコルゲートフィン組付用ハンドを垂直方向に降下しコルゲートフィンをコルゲートフィン組付用ハンドから抜き取る工程と、コルゲートフィンを抜き取ったコルゲートフィン組付用ハンドを可動装置により移動されると共にカム板により回転されながら水平状態へ戻し、コルゲートフィンの挿入工程へ戻す工程とを有することを特徴とする。
【００２１】
（作用）
請求項１記載の発明においては、最中合わせされた積層型熱交換器用エレメントを、ベルトコンベヤを用いることなく排出する。
そして、組付機において２つの積層型熱交換器用シートを最中合わせして成る積層型熱交換器用エレメント間にコルゲートフィンを配し、所定数の積層型熱交換器用エレメントとコルゲートフィンとを仮組みする処理が為される。
【００２２】
そして、コルゲートフィンを挿入する工程では、コルゲートフィン組付用ハンドが、カム板により水平状態に保持されており、コルゲートフィンを一対のフィン押さえ部材とフィン受け部材間に差し込むことができる。
次に、コルゲートフィンの挿入が完了すると、コルゲートフィンの把持工程へ移行する。このコルゲートフィンの把持工程では、コルゲートフィンを把持したコルゲートフィン組付用ハンドを可動装置により上方に回転しながら、一対の回動部材をカム板と離反する。これにより、引っ張りばねによる引っ張り力により一対のフィン押さえ部材が、各フィン受け部材と近接する方向へ回動してコルゲートフィンに圧接し挿入されたコルゲートフィンを把持する。
【００２３】
次に、コルゲートフィンの把持が完了すると、コルゲートフィンを垂直状態にしてフィン組付装置へ移動する工程へ移行する。この工程では、コルゲートフィンを把持したコルゲートフィン組付用ハンドを可動装置により垂直状態に立ち上げながら、把持したコルゲートフィンを垂直状態にしてフィン組付装置へ移動する。
【００２４】
次に、垂直にしたコルゲートフィンの移動が完了すると、フィン組付装置へコルゲートフィンを受け渡す工程へ移行する。この工程では、垂直状態にされたコルゲートフィンをフィン組付装置と対向させ、フィン組付装置のハンドによりコルゲートフィンを受け取らせる。
次に、コルゲートフィンの受け渡し工程が完了すると、コルゲートフィンの抜き取り工程へ移行する。この工程では、フィン組付装置へコルゲートフィンを受け渡した後、可動装置によりコルゲートフィン組付用ハンドを垂直方向に降下しコルゲートフィンをコルゲートフィン組付用ハンドから抜き取る。
【００２５】
次に、コルゲートフィンの抜き取り工程が完了すると、コルゲートフィン組付用ハンドの原位置復帰工程へ移行する。この工程では、コルゲートフィンを抜き取ったコルゲートフィン組付用ハンドを可動装置により移動させると共にカム板により回転されながら水平状態へ戻し、コルゲートフィンの挿入工程へ戻す。
【００２６】
【発明の実施の形態】
以下、本発明の実施形態を図面に基づいて説明する。
【００２７】
図１乃至図２３は、請求項１の発明に係る積層型熱交換器の仮組方法の一実施形態を示す。
本実施形態では、２つの積層型熱交換器用シート５１を最中合わせして成る積層型熱交換器用エレメント５２間にコルゲートフィン５３を配し、所定数の積層型熱交換器用エレメント５２とコルゲートフィン５３とを仮組みする工程と、所定数の積層型熱交換器用エレメント５２とコルゲートフィン５３とから成る仮組体Ｋを排出する工程とを有する。
【００２８】
本実施形態において、積層型熱交換器用シート５１及びコルゲートフィン５３の製造方法は問わない。従来例と同様であっても、或いは異なる方法で製造されても良い。
従って、本実施形態では、図１に示すように、組付装置１９０の手前において、２つの積層型熱交換器用シート５１を最中合わせして成る積層型熱交換器用エレメント５２とコルゲートフィン５３が供給されるようになっていれば良い。
【００２９】
先ず、最中合わせされた積層型熱交換器用シート５１から成る積層型熱交換器用エレメント５２を組付装置へ搬送するチャック装置１５１が配設されている。
ここで、チャック装置１５１について図２乃至図５により説明する。
一対の円盤状の回転テーブル１５２が、ロータリーアクチュエータから成る回転装置１５４の回転軸１５５に連結する回転シャフト１５３に夫々取り付けられている。回転シャフト１５３と回転装置１５４とは、抜け止めカラー１５６を介して固着されている。
【００３０】
回転装置１５４は、回転軸１５５を連結部材１５７の貫通孔１５８に挿通すると共にその端部を連結部材１５７に固定されている。
回転シャフト１５３は、軸受け１６２を介して連結部材１５７の貫通孔１５９に回転自在に取り付けてられている。
連結部材１５７は、回転シャフト１５３を取り付けるボス部１６０、１６０が、本体１５７ａより突出している。ボス部１６０、１６０間には、積層型熱交換器用エレメント５２を干渉しないように凹部１６１が形成されている。
【００３１】
凹部１６１の反対側には、本チャック装置１５１を移動させるためのロボット１６３が取り付けられている。
回転テーブル１５２には２本のピン１６４、１６５が取り付けてある。２本のピン１６４、１６５は、積層型熱交換器用エレメント５２の厚みｔより広い間隔Ｔで配されている。
【００３２】
尚、ピン１６４の長さは、ピン１６５の長さより長くなっている。
このように構成されたチャック装置１５１では、最中合わせされた積層型熱交換器用エレメント５２に対し、先ず、回転装置１５４を作動して、２組の２本のピン１６４、１６５が平行状態と成るように回転テーブル１５２を回転させる（図５の実線で示す位置）。
【００３３】
次に、積層型熱交換器用エレメント５２を図示しない搬送装置により２組のピン１６４、１６５間に差し渡す。
次に、回転装置１５４を作動して、矢印方向に回転テーブル１５２を回転し、夫々の２本のピン１６４、１６５を積層型熱交換器用エレメント５２の両側面に２箇所で当接させて積層型熱交換器用エレメント５２を挟持する（図５に一点鎖線で示す位置）。
【００３４】
以上によって、積層型熱交換器用エレメント５２のチャッキングが完了する。
この状態で、ロボット１６３を介して組付装置１９０へ搬送される。
一方、コルゲートフィン５３は、乾燥処理された後、ベルトコンベヤ１６８で搬送される。
次に、積層型熱交換器用エレメント５２間にコルゲートフィン５３を配し、積層型熱交換器用エレメント５２とコルゲートフィン５３とを仮組みする工程について説明する。
【００３５】
図６乃至図１１により、コルゲートフィン組付用ハンド１７０を説明する。
一対のフィン受け部材１７１、１７１は、ほぼＬ字状に折曲された板材１７２から成り、台座１７９にボルトナット１８０により固定されている。
そして、一対のフィン受け部材１７１、１７１は、フィン受け面１７２が、両者の中心に向かって下り勾配に成るように配設されている。
【００３６】
一対のフィン押さえ部材１７４、１７４は、回転軸１７３に取り付けられる回転体１７５と、この回転体１７５の面に取り付けられたクランプピン１７６とで構成されている。
各回転軸１７３は、台座１７９に設けた支持アーム１８１、１８２に軸支されている。
【００３７】
各回転軸１７３には、引っ張りばね１７７が固定部材１７８を介して張設されている。
固定部材１７８は、引っ張りばね１７７の両端部を係止すると共に回転軸１７３と供回りするように回転軸１７３に固定されている。
一対の回動部材１８５、１８５は、フィンクランプカム１８６と、回転軸１７３に取り付けられる回転体１８８と、フィンクランプカム１８６と回転体１８８を固定するボルトナット１８７とで構成されている。
【００３８】
一対の回動部材１８５、１８５は、コルゲートフィン５３の挿入時に一対のフィン押さえ部材１７４、１７４を同一方向に回転する。
回転体１８８は、回転軸１７３と供回りするように回転軸１７３に固定されている。
【００３９】
カム板Ｅは、コルゲートフィンＦの挿入時に一対の回動部材１８５、１８５を回動する。
図１７乃至図２４により、組付装置１９０を説明する。
一対の無端チェーン１９１、１９２は、積層型熱交換器用エレメント５２を挟み付けた状態で搬送できるように対向配置されると共に、スプロケット１９３、１９４、１９５、１９６及びオートテンショナー１９７、１９８に張り渡され、同一方向に回転駆動される。
【００４０】
そして、一対の無端チェーン１９１、１９２が対向する直線部には、チェーンガイド１９９、２００が配設されている。
又、一対の無端チェーン１９１、１９２は、上下２段に成っており、スプロケット１９３、１９４、１９５、１９６及びオートテンショナー１９７、１９８はそれぞれ同じ軸に取り付けられている。一対の無端チェーン１９１、１９２は、モータ２０１に連絡する駆動系を介して連絡するスプロケット１９３、１９５により駆動される。そして、一対の無端チェーン１９１、１９２は、両者の回転方向が逆で速度が一致するように調整されている。
【００４１】
更に、一対の無端チェーン１９１、１９２には、図示しないチェーンアタッチメントを介して搬送爪２０２、２０３が取り付けられている。
搬送爪２０２、２０３は、積層型熱交換器用エレメント５２の両端部に当接する基部２０４、２０５と、積層型熱交換器用エレメント５２の両端部の中央部にそれぞれ形成された係止孔５１ａ、５１ｂに嵌入する係止爪２０６、２０７とを有する。ここで、積層型熱交換器用シート５１の両端部の中央部は、積層型熱交換器用シート５１の長手方向の一点鎖線で示す中心線Ｘ上に位置し、この中心線Ｘの上部を上半身、下部を下半身と称する。
【００４２】
ここで、基部２０４、２０５は、図１９乃至図２２に示すように、その形状を異にする。その理由は、最中合わせされた積層型熱交換器用シート５１の両端部の形状が異なるためである。つまり、積層型熱交換器用エレメント５２の一方の端部は、閉塞部を形成し、他方の端部は冷媒の出入孔を形成しているので、基部２０４、２０５が積層型熱交換器用エレメント５２の両端部に当接しこれらを挟持できるように、基部２０４、２０５の形状が積層型熱交換器用エレメント５２の両端部に合わせてある。
【００４３】
基部２０４、２０５には、図示しないチェーンアタッチメントに取り付けるための孔２０９が穿設されている。
係止爪２０６、２０７は、積層型熱交換器用エレメント５２を組み付けるときに、積層型熱交換器用エレメント５２の両端部の中央部に夫々形成された係止孔５１ａ、５１ｂに嵌入できるように、基板２０４、２０５の中心部に設けられている。
【００４４】
係止爪２０６、２０７は、チェーンガイド１９９、２００の位置へ移動されてくると、隣接する搬送爪２０２、２０３に設けた係止爪２０６、２０７と僅かな間隔を隔てて連なっている。
一対の無端チェーン１９１、１９２の間には、２本のワークガイド２１０が流れ方向に沿って配設されている。ワークガイド２１０は、搬送中のコルゲートフィン５３が落下しないようにするためのものである。
【００４５】
次に、図１に基づいて、積層型熱交換器用エレメント５２とコルゲートフィン５３との組付を説明する。
積層型熱交換器用エレメント５２は、チャック装置１５１で立てた状態で組付装置１９０に供給される。
又、コルゲートフィン５３は、ベルトコンベヤ１６８により搬送されてくると、組付装置１９０の手前で、図１０乃至図１６に示すように、コルゲートフィン組付用ハンド１７０で挟持されて組付装置１９０に供給される。
【００４６】
本実施形態では、コルゲートフィン組付用ハンド１７０が、上下左右方向に自走する可動装置（例えば、市販のハンドラー（商品名））Ｈに取り付けられると共に、可動装置Ｈの走路に設けたカム板Ｄ、Ｅにより動作されるようになっている。
コルゲートフィン組付用ハンド１７０は、台座１７９に設けた回転軸１８３を介して可動装置Ｈに回転自在に取り付けられている。又、コルゲートフィン組付用ハンド１７０と可動装置Ｈの間には引っ張りばね１８４が張設されている。更に、コルゲートフィン組付用ハンド１７０には、カム板Ｄに当接するカム１８９が設けてある。
【００４７】
可動装置Ｈは、図１０乃至図１６において矢印で示す方向に移動する。可動装置Ｈは、搬送装置Ｊに取り付けられている。カム板Ｄ、Ｅは搬送装置Ｘの壁面に固定されている。
図１０、図１１には、フィン受け取り工程が示してある。
ここでの操作は、カム板Ｅが一対の回動部材１８５、１８５を上方へ押し上げているので、コルゲートフィン５３は把持されていない。
【００４８】
そして、カム１８９がカム板Ｄの垂直壁面Ｄ１に当接し、コルゲートフィン組付用ハンド１７０が可動装置Ｈに対しほぼ９０゜の角度で保持されている。つまり、引っ張りばね１８４のばね力が規制されている。
図１０において、コルゲートフィン５３と積層型熱交換器用エレメント５２が組付装置１９０に対してほぼ９０゜に立てられて保持されている。
【００４９】
次に、コルゲートフィン組付用ハンド１７０にてコルゲートフィン５３を把持するために、図１２に示すように、可動装置Ｈが図１２の矢印で示すように、上方へ少し移動した後、斜め前方へ移動する。これに伴い、カム１８９がカム板Ｄの円弧面Ｄ２に当接し、円弧面Ｄ２に沿ってコルゲートフィン組付用ハンド１７０を徐々に立ち上げていく。
【００５０】
ここで、カム板Ｅが一対の回動部材１８５、１８５から外れるので、図８と同様に、コルゲートフィン５３が一対のフィン押さえ部材１７４、１７４とフィン受け部材１７１、１７１によって把持される。
次に、図１３に示すように、可動装置Ｈが水平方向に移動し、フィン組付用ハンド１７０のカム１８９をカム板Ｄから離す。これにより、コルゲートフィン組付用ハンド１７０が引っ張りばね１８４により可動装置Ｈと同じ方向に立ち上がる。そして、組付装置１９０上の積層型熱交換器用エレメント５２の隣りにコルゲートフィン５３を配する。
【００５１】
この時、組付装置１９０では、ハンドＧが作動して、コルゲートフィン５３を把持する。
次に、図１４に示すように、可動装置Ｈが垂直に降下し、組付装置１９０上に位置するハンドＧにコルゲートフィン５３を受け渡す。
次に、図１５に示すように、可動装置Ｈが水平方向に移動し、コルゲートフィン組付用ハンド１７０のカム１８９をカム板Ｄの垂直壁面Ｄ１に当接する。これにより、コルゲートフィン組付用ハンド１７０が引っ張りばね１８４に抗してフィン受け取り時の状態に押し下げられる。
【００５２】
次に、図１６に示すように、可動装置Ｈが矢印で示す工程の最終位置に戻される。ここでは、図１０に示すフィン受け取り状態となる。
これに伴い、組付装置１９０には積層型熱交換器用エレメント５２が搬入される。
一方、組付装置１９０では、モータ２０１を駆動し、一対の無端チェーン１９１、１９２を回転させる。
【００５３】
次に、例えば、図２３に示すように、積層型熱交換器用エレメント５２とコルゲートフィン５３とが搬送されてくると、積層型熱交換器用エレメント５２は両端部を水平方向に平行にして一対の無端チェーン１９１、１９２に向かって送り出される。
【００５４】
そして、積層型熱交換器用エレメント５２の両端部の中央部にそれぞれ形成された係止孔５１ａ、５１ｂに係止爪２０６、２０７を嵌入させる。
次に、積層型熱交換器用エレメント５２は、搬送爪２０１、２０２の基部２０４、２０５により挟まれるようにして進行方向に搬送される。
次に、コルゲートフィン組付用ハンド１７０によりコルゲートフィン５３が搬送爪２０２、２０３により挟持された各積層型熱交換器用エレメント５２間に搬送される。
【００５５】
この操作を繰り返すことにより、図１７に示すように、積層型熱交換器用エレメント５２とコルゲートフィン５３とが交互に組み付けられ、搬送されていく。そして、この組付装置１９０の下流側には、ワークガイド２１０に沿って延長する図示しないワークガイドが配設され、その下流側でコア排出ガイド２２１とコア受けガイド２２２とから成るワーク受渡装置２２０によって所定数の積層型熱交換器用エレメント５２とコルゲートフィン５３とから成る仮組体Ｋが図示しない焼付装置へ送り出される。
【００５６】
以上のように、本実施形態では、２つの積層型熱交換器用シート５１を最中合わせして成る積層型熱交換器用エレメント５２間にコルゲートフィン５３を配し、積層型熱交換器用エレメント５２とコルゲートフィン５３とを仮組みする工程では、積層型熱交換器用エレメント５２の両端部の形状に合致する搬送爪２０４、２０５を全周に備えた一対の無端チェーン１９１、１９２を回転駆動するため、積層型熱交換器用エレメント５２はその両端部を搬送爪２０２、２０３に挟持されることにより無理なく搬送することができる。
【００５７】
又、搬送爪２０２、２０３には、積層型熱交換器用エレメント５２の両端部の中央部に夫々形成された係止孔５１ａ、５１ｂに嵌入する係止爪２０６、２０７が設けてあるので、積層型熱交換器用エレメント５２は係止爪２０６、２０７によって軸支された状態で搬送されることとなり、搬送時に落下することがない。
【００５８】
更に、搬送爪２０２、２０３は上下２段の一対の無端チェーン１９１、１９２に取り付けてあるので、積層型熱交換器用エレメント５２の両端部の上下半身に基部２０４、２０５を当接することが可能となり、積層型熱交換器用エレメント５２を確実に搬送することができる。
又、所定数の積層型熱交換器用エレメント５２とコルゲートフィン５３とから成る仮組体Ｋを排出する工程では、従来のような搬送治具を必要としないので、取扱いが簡便である。
【００５９】
尚、上記実施形態では、積層型熱交換器用シート５１として、図２８に示す従来の積層型熱交換器用シート１と同様に一側側に冷媒の出入口を設けた場合について説明したが、本発明はこれに限らず、例えば図２５に示すように、冷媒用入口５１ｃと冷媒用出口５１ｄとを前後に設けたものでも良い。
【００６０】
【発明の効果】
以上のように、請求項１記載の発明によれば、一対の無端チェーンに設けた搬送爪間に最中合わせされた積層型熱交換器用シートから成る積層型熱交換器用エレメントを順次供給すると共に、各積層型熱交換器用エレメント間にコルゲートフィンを配し、所定数の積層型熱交換器用エレメントとコルゲートフィンとを仮組みするので、積層型熱交換器用エレメントはその両端部を搬送爪に挟持されることにより無理なく搬送することができる。
【００６１】
又、エバポレータ等のような広幅の熱交換面を有する積層型熱交換器の最中合わせされた積層型熱交換器用シートから成る積層型熱交換器用エレメントの両端部の形状に合致する搬送爪を全周に備えた一対の無端チェーンを回転駆動するため、積層型熱交換器用エレメントと放熱用のフィンとの組付を可能とすることができる。
【００６２】
又、所定数の積層型熱交換器用エレメントとコルゲートフィンとから成る仮組体を排出するので、従来のような搬送治具を必要としない。
更に、コルゲートフィン組付用ハンドを可動装置及びカム板により、フィン受け取り、フィン把持、回転、フィン組付、フィン離脱、回転、原位置の順で操作することができるので、高速で連続的にコルゲートフィンを積層型熱交換器用シートに組み付けることが可能となる。
【図面の簡単な説明】
【図１】  請求項１記載の発明に係る積層型熱交換器の仮組方法の製造工程を示す説明図である。
【図２】積層型熱交換器用シートのチャック装置を示す平面図である。
【図３】図２の正面図である。
【図４】図３の要部拡大図である。
【図５】図３のピンによる板状ワークの挟持状態を示す要部拡大図である。
【図６】コルゲートフィン組付用ハンドを示す平面図である。
【図７】図６のコルゲートフィン組付用ハンドの正面図である。
【図８】図６のコルゲートフィン組付用ハンドでコルゲートフィンを把持した状態を示すの正面図である。
【図９】図６のコルゲートフィン組付用ハンドの側面図である。
【図１０】コルゲートフィン組付用ハンドを用いたコルゲートフィンの搬送方法におけるフィン受け取り工程を示す図である。
【図１１】図１０におけるコルゲートフィン組付用ハンドの正面図である。
【図１２】コルゲートフィン組付用ハンドにてコルゲートフィン５３を把持する工程を示す図である。
【図１３】コルゲートフィン組付用ハンドによるフィン組付、押さえ工程を示す図である。
【図１４】コルゲートフィン組付用ハンドによるフィン抜き取り工程を示す図である。
【図１５】コルゲートフィン組付用ハンドの回転工程を示す図である。
【図１６】コルゲートフィン組付用ハンドを原位置への戻り工程を示す図である。
【図１７】積層型熱交換器用エレメントとフィンの組付装置を示す平面図である。
【図１８】図１７の側面図である。
【図１９】図１７の搬送爪２０２の平面図である。
【図２０】図１９の搬送爪２０２の側面図である。
【図２１】図１７の搬送爪２０３平面図である。
【図２２】図２１の搬送爪２０３の側面図である。
【図２３】図１９の搬送爪２０２による積層型熱交換器用エレメントの係止状態を示す拡大図である。
【図２４】図２１の搬送爪２０３による積層型熱交換器用エレメントの係止状態を示す拡大図である。
【図２５】積層型熱交換器用シートの別の例を示す平面図である。
【図２６】積層型熱交換器を示す斜視図である。
【図２７】図２６に示す積層型熱交換器の分解図である。
【図２８】図２６に示す積層型熱交換器の従来の積層型熱交換器用シート成形帯を示す平面図である。
【図２９】従来の積層型熱交換器用シートの製造装置の説明図である。
【図３０】従来の積層型熱交換器の仮組方法の製造工程を示す説明図である。
【図３１】従来の積層型熱交換器の仮組方法の製造工程を示す説明図である。
【図３２】従来の積層型熱交換器の仮組方法の製造工程を示す説明図である。
【図３３】従来のコルゲートフィンの取付を示す説明図である。
【図３４】従来の組付治具を示す斜視図である。
【符号の説明】
５１  積層型熱交換器用シート
５２  積層型熱交換器用エレメント
５３  コルゲートフィン
１７０  コルゲートフィン組付用ハンド
１７１  フィン受け部材
１７４  フィン押さえ部材
１８５  回動部材
１９０  組付装置
２２０  ワーク受渡装置
Ｄ、Ｅ  カム板
Ｆ  粉体フラックス
Ｈ  可動装置
Ｋ  仮組体
【図１】
0003777007.tif 000002
【図２】
0003777007.tif 000003
【図３】
0003777007.tif 000004
【図４】
0003777007.tif 000005
【図５】
0003777007.tif 000006
【図６】
0003777007.tif 000007
【図７】
0003777007.tif 000008
【図８】
0003777007.tif 000009
【図９】
0003777007.tif 000010
【図１０】
0003777007.tif 000011
【図１１】
0003777007.tif 000012
【図１２】
0003777007.tif 000013
【図１３】
0003777007.tif 000014
【図１４】
0003777007.tif 000015
【図１５】
0003777007.tif 000016
【図１６】
0003777007.tif 000017
【図１７】
0003777007.tif 000018
【図１８】
0003777007.tif 000019
【図１９】
0003777007.tif 000020
【図２０】
0003777007.tif 000021
【図２１】
0003777007.tif 000022
【図２２】
0003777007.tif 000023
【図２３】
0003777007.tif 000024
【図２４】
0003777007.tif 000025
【図２５】
0003777007.tif 000026
【図２６】
0003777007.tif 000027
【図２７】
0003777007.tif 000028
【図２８】
0003777007.tif 000029
【図２９】
0003777007.tif 000030
【図３０】
0003777007.tif 000031
【図３１】
0003777007.tif 000032
【図３２】
0003777007.tif 000033
【図３３】
0003777007.tif 000034
【図３４】
0003777007.tif 000035